(57)【要約】【課題】天候を適切に判断し得る天候判断装置を提供する。【解決手段】本発明によれば、全天の天空画像を撮像する撮像部と、太陽位置を算出する太陽位置算出部と、前記天空画像上に１００以上のユニット領域を設定するユニット領域設定部と、前記ユニット領域の中から、前記太陽位置を含むように５以上の天候判断ユニット領域を選択する天候判断ユニット領域選択部と、前記天候判断ユニット領域のそれぞれについて、輝度値、Ｒ値、Ｂ値、Ｇ値の少なくとも１つからなる指標に基づいて領域状態を割り当てる状態割り当て部と、前記領域状態の分布に基づいて天候判断を行う天候判断部とを備える、天候判断装置が提供される。【選択図】図４
2019032347.tif 000002
【特許請求の範囲】
【請求項１】
全天の天空画像を撮像する撮像部と、
太陽位置を算出する太陽位置算出部と、
前記天空画像上に１００以上のユニット領域を設定するユニット領域設定部と、
前記ユニット領域の中から、前記太陽位置を含むように５以上の天候判断ユニット領域を選択する天候判断ユニット領域選択部と、
前記天候判断ユニット領域のそれぞれについて、輝度値、Ｒ値、Ｂ値、Ｇ値の少なくとも１つからなる指標に基づいて領域状態を割り当てる状態割り当て部と、
前記領域状態の分布に基づいて天候判断を行う天候判断部とを備える、天候判断装置。
【請求項２】
前記太陽位置算出部は、前記太陽位置算出部が想定している方位と、前記天空画像の方位を一致させるように、前記天空画像の中心を軸にして前記太陽位置を回動させる、請求項１に記載の天候判断装置。
【請求項３】
前記ユニット領域は、２０以上×２０以上のマス目状である、請求項１又は請求項２に記載の天候判断装置。
【請求項４】
前記天候判断ユニット領域は、前記太陽位置を含む太陽ユニット領域と、前記太陽ユニット領域を取り囲む周縁ユニット領域を含む、請求項１〜請求項３の何れか１つに記載の天候判断装置。
【請求項５】
前記天候判断ユニット領域の数は、９以上である、請求項１〜請求項４の何れか１つに記載の天候判断装置。
【請求項６】
前記領域状態の種類は、３以上である、請求項１〜請求項５の何れか１つに記載の天候判断装置。
【請求項７】
前記指標は、輝度値と、Ｒ値、Ｂ値、及びＧ値の少なくとも１つとを含む、請求項１〜請求項６の何れか１つに記載の天候判断装置。
【請求項８】
前記状態割り当て部は、太陽の高度に応じて、異なる基準で前記領域状態の割り当てを行う、請求項１〜請求項７の何れか１つに記載の天候判断装置。
【請求項９】
前記天候判断部は、特定の領域状態が割り当てられた天候判断ユニット領域の数が基準値以上存在しているかどうかに基づいて天候判断を行う、請求項１〜請求項８の何れか１つに記載の天候判断装置。
【請求項１０】
前記天候判断部は、太陽の高度に応じて、異なる基準で前記天候判断を行う、請求項１〜請求項９の何れか１つに記載の天候判断装置。
【請求項１１】
前記天空画像から雲量を算出する雲量算出部を備え、
前記撮像部は、前記雲量に応じて、異なる頻度で前記天空画像の撮像を行う、請求項１〜請求項１０の何れか１つに記載の天候判断装置。
【請求項１２】
請求項１〜請求項１１の何れか１つに記載の天候判断装置と、
前記天候判断の結果に基づいて電動ブラインドの制御を行う電動ブラインド制御部を備える、電動ブラインド制御装置。
【請求項１３】
前記撮像部は、前記撮像部に入射する光量に応じてシャッタースピードが変化するモードで前記天空画像の撮像を行い、
前記電動ブラインド制御部は、前記シャッタースピードが基準値未満の場合には前記天候判断を行わずに前記電動ブラインドの制御を行う、請求項１２に記載の天候判断装置。
【請求項１４】
前記ユニット領域の一部を無効ユニット領域に設定する無効ユニット領域設定部を備え、
前記電動ブラインド制御部は、前記太陽位置が前記無効ユニット領域にある場合には前記天候判断を行わずに前記電動ブラインドの制御を行う、請求項１２又は請求項１３に記載の電動ブラインド制御装置。
【請求項１５】
前記電動ブラインド制御部は、設置位置が異なる複数の電動ブラインドの制御を行い、
前記複数の電動ブラインドのうちの何れが前記撮像部と前記太陽位置の間にある遮蔽物の影になるのかを判断する影判断部を備え、
前記電動ブラインド制御部は、前記影判断部による判断結果に基づいて、前記複数の電動ブラインドの制御を行う、請求項１２〜請求項１４の何れか１つに記載の電動ブラインド制御装置。
【請求項１６】
前記天候判断部は、互いに異なる時刻に撮像された複数の天空画像のそれぞれについて割り当てられた領域状態の分布に基づいて、現在時刻の天候及び将来時刻の天候の判断を行い、
前記電動ブラインド制御部は、現在時刻の天候及び将来時刻の天候に基づいて前記電動ブラインドの制御を行う、請求項１２〜請求項１５の何れか１つに記載の電動ブラインド制御装置。
【請求項１７】
日没後所定時間内の空の明るさを検出する空明るさ検出部を備え、
前記電動ブラインド制御部は、前記空の明るさに基づいて、前記電動ブラインドの制御を行う、請求項１２〜請求項１６の何れか１つに記載の電動ブラインド制御装置。
【発明の詳細な説明】
【技術分野】
【０００１】
この発明は、天候を判断する天候判断装置及びその判断装置の判断結果に基づいてスラットを制御する電動ブラインドの制御装置に関するものである。
【背景技術】
【０００２】
太陽光を室内に採り入れて照明光として使用することは、照明のために要する電力消費を削減し、ＣＯ２の排出削減にも効果的である。
しかし、太陽の直射光による明るさは、通常の照明として要求されるレベルを大きく超えている。また、直射光を採り入れると、夏季においては無用な放射熱を採り入れることになり、空調効果を低下させてしまう。
【０００３】
そこで、室内に採り入れる太陽光を電動ブラインドで制御する場合には、晴天時には直射光を遮るようにスラット角度を制御しながら、室外光を効率よく採り入れることが必要である。
【０００４】
特許文献１の電動ブラインドの制御装置では、全天の天空画像を一定時間毎に撮像し、撮像した天空画像の輝度分布を算出し、この輝度分布上の太陽位置及び太陽軌跡を算出し、算出した輝度分布に基づいて直射光の有無を判断している。この制御装置では、太陽位置の輝度と、太陽位置以外の輝度との差に基づいて直射光の有無を判断している。
【先行技術文献】
【特許文献】
【０００５】
【特許文献１】特開２０１１−１３０３６号公報
【発明の概要】
【発明が解決しようとする課題】
【０００６】
特許文献１の方法では、太陽が全く雲で覆われていない状態や、太陽が完全に雲で覆われているような典型的な晴れや典型的な曇りの場合には正しい結果が得られるが、例えば、太陽からの直射光を遮るように雲が存在していて、その周辺にうっすらとした雲（以下、「薄雲」）が存在している場合、太陽光が周辺に存在する薄雲によって反射されて、薄雲からの反射光がまぶしく感じる場合がある。このような場合、太陽位置の輝度は比較的低くなり、太陽位置以外の輝度が比較的高くなるので、太陽位置の輝度と太陽位置以外の輝度との差が小さくなって曇りと判断されて、ブラインドが開いてしまう場合がある。
【０００７】
本発明はこのような事情に鑑みてなされたものであり、天候を適切に判断し得る天候判断装置を提供するものである。また、ユーザーがまぶしいと感じる太陽光を適切に遮断し得る電動ブラインドの制御装置を提供するものである。
【課題を解決するための手段】
【０００８】
本発明によれば、全天の天空画像を撮像する撮像部と、太陽位置を算出する太陽位置算出部と、前記天空画像上に１００以上のユニット領域を設定するユニット領域設定部と、前記ユニット領域の中から、前記太陽位置を含むように５以上の天候判断ユニット領域を選択する天候判断ユニット領域選択部と、前記天候判断ユニット領域のそれぞれについて、輝度値、Ｒ値、Ｂ値、Ｇ値の少なくとも１つからなる指標に基づいて領域状態を割り当てる状態割り当て部と、前記領域状態の分布に基づいて天候判断を行う天候判断部とを備える、天候判断装置が提供される。
【０００９】
本発明者らは計算負荷を増大させずに、天候判断を高精度に行う方法について検討したところ、多数のユニット領域を設定し、このユニット領域から天候判断ユニット領域を選択し、これらの領域のそれぞれに対して所定の基準に従って領域状態を割り当て、領域状態の分布に基づいて天候判断を行うという方法によれば、計算負荷を増大させることなく、適切な天候判断を行うことができることを見出し、本発明の完成に到った。
【００１０】
以下、本発明の種々の実施形態を例示する。以下に示す実施形態は互いに組み合わせ可能である。
好ましくは、前記太陽位置算出部は、前記太陽位置算出部が想定している方位と、前記天空画像の方位を一致させるように、前記天空画像の中心を軸にして前記太陽位置を回動させる。
好ましくは、前記ユニット領域は、２０以上×２０以上のマス目状である。
好ましくは、前記天候判断ユニット領域は、前記太陽位置を含む太陽ユニット領域と、前記太陽ユニット領域を取り囲む周縁ユニット領域を含む。
好ましくは、前記天候判断ユニット領域の数は、９以上である。
好ましくは、前記領域状態の種類は、３以上である。
好ましくは、前記指標は、輝度値と、Ｒ値、Ｂ値、及びＧ値の少なくとも１つとを含む。
好ましくは、前記状態割り当て部は、太陽の高度に応じて、異なる基準で前記領域状態の割り当てを行う。
好ましくは、前記天候判断部は、特定の領域状態が割り当てられた天候判断ユニット領域の数が基準値以上存在しているかどうかに基づいて天候判断を行う。
好ましくは、前記天候判断部は、太陽の高度に応じて、異なる基準で前記天候判断を行う。
好ましくは、前記天空画像から雲量を算出する雲量算出部を備え、前記撮像部は、前記雲量に応じて、異なる頻度で前記天空画像の撮像を行う。
好ましくは、上記記載の天候判断装置と、前記天候判断の結果に基づいて電動ブラインドの制御を行う電動ブラインド制御部を備える、電動ブラインド制御装置である。
好ましくは、前記撮像部は、前記撮像部に入射する光量に応じてシャッタースピードが変化するモードで前記天空画像の撮像を行い、前記電動ブラインド制御部は、前記シャッタースピードが基準値未満の場合には前記天候判断を行わずに前記電動ブラインドの制御を行う。
好ましくは、前記ユニット領域の一部を無効ユニット領域に設定する無効ユニット領域設定部を備え、前記電動ブラインド制御部は、前記太陽位置が前記無効ユニット領域にある場合には前記天候判断を行わずに前記電動ブラインドの制御を行う。
好ましくは、前記電動ブラインド制御部は、設置位置が異なる複数の電動ブラインドの制御を行い、前記複数の電動ブラインドのうちの何れが前記撮像部と前記太陽位置の間にある遮蔽物の影になるのかを判断する影判断部を備え、前記電動ブラインド制御部は、前記影判断部による判断結果に基づいて、前記複数の電動ブラインドの制御を行う。
好ましくは、前記天候判断部は、互いに異なる時刻に撮像された複数の天空画像のそれぞれについて割り当てられた領域状態の分布に基づいて、現在時刻の天候及び将来時刻の天候の判断を行い、前記電動ブラインド制御部は、現在時刻の天候及び将来時刻の天候に基づいて前記電動ブラインドの制御を行う。
好ましくは、日没後所定時間内の空の明るさを検出する空明るさ検出部を備え、前記電動ブラインド制御部は、前記空の明るさに基づいて、前記電動ブラインドの制御を行う。
【図面の簡単な説明】
【００１１】
【図１】本発明の第１実施形態の電動ブラインド制御装置を示す概要図である。
【図２】等立体角射影方式で撮像した天空画像の一例である。
【図３】天空画像に写っている物体と高度の関係を示す。
【図４】本発明の第１実施形態の電動ブラインド制御装置の動作を示すフローチャートである。
【図５】（ａ）は、天空画像に設定するユニット領域の一例であり、（ｂ）は、（ａ）のユニット領域を天空画像に重ねた状態を示す。
【図６】（ａ）は、ユニット領域中に高度２０度の太陽を配置した状態を示し、（ｂ）は、（ａ）中に太陽領域を示したものである。
【図７】（ａ）は、太陽位置算出部が想定している方位と、天空画像の方位との間のズレを示す模式図であり、（ｂ）は、（ａ）のズレの補正方法を示す。
【図８】快晴の時の領域状態の割り当て結果を示す。
【図９】天候判断方法を示すフローチャートである。
【図１０】（ａ）〜（ｃ）は、様々な天候についての領域状態の割り当て結果(太陽高度２０度）を示す。
【図１１】（ａ）〜（ｃ）は、様々な天候についての領域状態の割り当て結果(太陽高度６０度）を示す。
【図１２】本発明の第２実施形態の電動ブラインド制御装置の動作を示すフローチャートである。
【図１３】（ａ）は、天空画像に４０×４０のユニット領域を設定した状態を示し、（ｂ）は、（ａ）のユニット領域に無効ユニット領域を設定した状態を示す。
【図１４】本発明の第３実施形態の電動ブラインド制御装置において、遮蔽物によって形成される影を説明するための、（ａ）は正面図、（ｂ）は平面図である。
【図１５】図１４に対応する天空画像を示す。
【図１６】本発明の第４実施形態において、雲量算出に用いる９×９のユニット領域について領域状態の割り当てを行った結果を示す。
【図１７】本発明の第５実施形態において、将来時刻Ｔ３の領域状態の予測方法を説明するための領域状態の割り当て結果の一例であり、（ａ）は前回撮像時刻Ｔ１の領域状態の割り当て結果、（ｂ）は、現在時刻Ｔ２の領域状態の割り当て結果、（ｃ）は、将来時刻Ｔ３の領域状態の予測結果を示す。
【図１８】本発明の第５実施形態において、将来時刻Ｔ３の領域状態の予測方法を説明するための領域状態の割り当て結果の別の例であり、（ａ）は前回撮像時刻Ｔ１の領域状態の割り当て結果、（ｂ）は、現在時刻Ｔ２の領域状態の割り当て結果、（ｃ）は、将来時刻Ｔ３の領域状態の予測結果を示す。
【図１９】本発明の第６実施形態の電動ブラインド制御装置の動作を示すフローチャートである。
【図２０】本発明の第７実施形態の電動ブラインド制御装置の動作を示すフローチャートである。
【図２１】本発明の第８実施形態において、（ａ）は、各天候判断ユニット領域に対して平均Ｒ／Ｂ値、平均Ｒ値、平均Ｂ値、平均輝度値のそれぞれについて０〜２点のスコアを割り当てた状態を示し、（ｂ）は、このスコアの合計値に基づいて、各天候判断ユニット領域に対して状態１〜３を割り当てた状態を示す。
【発明を実施するための形態】
【００１２】
以下、本発明の実施形態について説明する。以下に示す実施形態中で示した各種特徴事項は、互いに組み合わせ可能である。また、各特徴について独立して発明が成立する。また、本発明は、天候判断ユニット領域に割り当てた領域状態の分布に基づいて天候判断を行うという点を基本としているが、以下に示す説明中には、このような天候判断方法には限定されない技術的事項があり、そのような技術的事項は、別方法による天候判断にも適用可能である。
【００１３】
（第１実施形態）
図１は、天候判断装置を備えたブラインド制御装置を示す。天候判断装置１は、天空に向けて設置された魚眼レンズ２の下方にシャッターユニット３が配設され、そのシャッターユニット３の下方に例えばＣＣＤ素子のイメージセンサー４が配設されている。また、天候判断装置１にはＣＰＵ５及びメモリ６が備えられている。ＣＰＵ５は、メモリ６に記憶されたプログラムを読みだして種々のデータ処理を行うことによって、単独で又は他の構成要素と協働して、特許請求の範囲の「撮像部」、「太陽位置算出部」、「ユニット領域設定部」、「天候判断ユニット領域選択部」、「状態割り当て部」、「天候判断部」、「雲量算出部」、「電動ブラインド制御部」、「無効ユニット領域設定部」、「影判断部」、「空明るさ検出部」等の種々の機能を実現する。
【００１４】
ＣＰＵ５は、あらかじめ設定されたプログラムに基づいて動作し、シャッターユニット３を一定時間ごとに開閉駆動する。そして、シャッターユニット３が開閉されると、魚眼レンズ２及びシャッターユニット３を介して取り込まれる天空画像がイメージセンサー４で撮像され、ＣＰＵ５はその天空画像をメモリ６に格納する。なお、魚眼レンズ２には、撮像される天空画像の白とびを防止する減光フィルター２ａが装着されている。
【００１５】
また、ＣＰＵ５は、天空画像に基づいて後述する処理を行うことによって現在の天候を判断し、その判断信号を電動ブラインドシステム７に出力する。
【００１６】
電動ブラインドシステム７は、メインコントローラー８に通信線９を介して多数の電動ブラインド１０が接続される。各電動ブラインド１０にはメインコントローラー８から出力される制御信号に基づいてモーターを駆動して、スラットの高さ及び角度を制御するブラインドコントローラー１１が配設されている。
【００１７】
そして、メインコントローラー８にはＣＰＵ５から出力される判断信号が入力され、メインコントローラー８はその判断信号に基づいて各電動ブラインド１０を制御する。
【００１８】
具体的には、ＣＰＵ５から晴天を示す判断信号がメインコントローラー８に入力されると、各電動ブラインド１０のスラットが外光を遮る角度に回動される。また、曇天を示す判断信号がメインコントローラー８に入力されると、各電動ブラインド１０のスラットが水平方向に回動されるか、あるいはスラットが引き上げられて外光を採り入れ得る状態に制御される。
【００１９】
魚眼レンズ２は、画面の対角線より撮像サークルの径が小さい全周魚眼レンズが使用され、例えば等立体角射影方式で天空画像を撮像する。等立体角射影方式で撮像した天空画像の一例を図２に示す。等立体角射影方式は、天球の中心に対する天球の各部分の立体角と、その部分の射影面積が比例する方式である。天空画像に写っている物体と高度の関係は、図３に示す通りである。図３の円Ｐ中の数値は、水平面からの角度を表しており、中心に近い位置に存在しているものほど、高角度位置に存在していることになる。また、等立体角射影方式での天空画像上では、太陽が占める面積は、太陽高度が高くなるにつれて大きくなる。なお、射影方式は、画面の中心からの距離と角度が比例する等距離射影方式や、半球上の図形をそのまま平面に射影する正射影方式などの別の方式であってもよい。
【００２０】
また、ＣＰＵ５は、カレンダー機能と、天空画像の撮像日毎の太陽軌跡を算出する機能を備える。そして、天空画像を撮像した日時に対応する太陽軌跡を天空画像に重ね合わせることができる。
【００２１】
図３において、太陽軌跡Ａは夏至、太陽軌跡Ｂは春分及び秋分、太陽軌跡Ｃは冬至の太陽軌跡を示す。一年間の各撮像日の太陽軌跡は、太陽軌跡Ａから同Ｃの間で順次移動する。
【００２２】
次に、天候判断装置１のＣＰＵ５の動作を図４に従って説明する。
＜ステップＳ１：日没後、日の出前であるかどうかの判断＞
ステップＳ１では、ＣＰＵ５は、現在時刻が日没後で日の出前であるかどうかを判断する。現在時刻が日没後で日の出前であれば、天候判断を行う必要がないので、最初にこの判断を行うことによって撮像回数を減らしてシャッターユニット３の負荷を低減する。この判断は、単純に行う場合には、例えば、現在時刻が夜の８：００〜朝の４：００の間であれば日没後で日の出前であると判断してもよく、より高精度に行う場合には、現在時刻が前日の日の入時刻と当日の日の出時刻の間であれば日没後で日の出前であると判断してもよい。現在時刻が日没後で日の出前であると判断されている間はステップＳ１が繰り返され（ステップＳ１のＹ）、現在時刻が日の出後であると判断されると（ステップＳ１のＮ）、ステップＳ２に移動する。
【００２３】
＜ステップＳ２：天空画像の撮像＞
ステップＳ２では、ＣＰＵ５は、シャッターユニット３を開閉駆動して、イメージセンサー４で天空画像を撮像する。この撮像動作は、あらかじめ設定された所定時間毎（例えば５分毎）に行われ、撮像された天空画像がメモリ６に格納される。
【００２４】
＜ステップＳ３：天空画像にユニット領域を設定＞
ステップＳ３では、ＣＰＵ５は、格納した天空画像に図５（ａ）に示すように多数のユニット領域を設定する。図５（ａ）中の円Ｐは天空画像の撮像範囲を示している。また、図５（ａ）のユニット領域を天空画像に重ね合わせたものを図５（ｂ）に示す。
【００２５】
図５（ａ）では、正方形の領域を８０×８０のマス目状のユニット領域を設定しているが、ユニット領域の数はこれよりも多くても少なくてもよい。また、縦横の分割数は同じであっても異なっていてもよい。本実施形態では、ユニット領域の設定は、ユニット領域の面積が、快晴時に減光率１／１００００のフィルターを介して得られた天空画像中の高度３５度での太陽領域（太陽が占める領域）の面積とほぼ等しくなるように行っている。このように設定したユニット領域中に高度２０度の太陽を配置した画像を図６（ａ）に示す。図６（ａ）は、４つのユニット領域を示している。このような画像中において、図６（ｂ）に示すように、輝度値が十分に高くて白飛びしている領域が太陽領域である。高度２０度の場合は、太陽領域の面積は、ユニット領域の面積よりも小さいが、太陽高度が高くなるにつれて、太陽領域の面積が大きくなり、高度３５度の場合に、太陽領域の面積は、ユニット領域の面積とほぼ等しくなる。なお、ユニット領域の設定は、例えば、ユニット領域の面積が、高度３５度での太陽領域の０．２〜５（好ましくは０．５〜２、さらに好ましくは０．７〜１．５）倍になるように行ってもよい。
【００２６】
なお、ユニット領域は別の方法で設定してもよく、例えば、等立体角射影方式での天空画像上では、太陽高度が高くなるにつれて太陽領域の面積が大きくなることを考慮して、図５の円Ｐの中心に向かうにつれてユニット領域のサイズが大きくなるようにしてもよい。また、太陽高度に応じてユニット領域のサイズを変えてもよい。例えば、太陽高度が３５度未満の場合は、８０×８０のユニット領域にし、太陽高度が３５度以上の場合は、４０×４０のユニット領域にしてもよい。また、ユニット領域の形状は、マス目状である必要はなく、例えば正六角形であってもよい。ユニット領域の数は、１００以上であればよく、上限は、特に規定されないが、例えば１０００００以下が好ましい。ユニット領域の数が少なすぎると天候判断の精度が低下し、ユニット領域の数が多すぎると計算処理の負荷が増大するからである。ユニット領域の数は、具体的には例えば１００、５００、１０００、５０００、１００００、５００００、１０００００であり、ここで例示した数値の何れか２つの間の範囲内であってもよい。また、ユニット領域がマス目状態である場合、縦横それぞれのマス目数は、具体的には例えば１０、２０、４０、８０、１２０、１６０、２００、３００であり、ここで例示した数値の何れか２つの間の範囲内であってもよい。
【００２７】
＜ステップＳ４：天候判断ユニット領域を選択＞
次に、ステップＳ４では、ＣＰＵ５は、ステップＳ３で設定したユニット領域の中から、天候判断を行うために用いる天候判断ユニット領域を選択する。本実施形態では、天候判断ユニット領域として、計算によって算出した太陽位置を含む太陽ユニット領域と、この太陽ユニット領域を取り囲む８つのユニット領域（「周縁ユニット領域」）を選択している。なお、太陽が複数のユニット領域にまたがって存在している場合には、これら複数のユニット領域のそれぞれについて平均輝度値を算出し、平均輝度値が最も高いユニット領域を太陽ユニット領域とすることができる。なお、天候判断ユニット領域の選択方法は、本実施形態のものに限定されず、ユニット領域の中から、太陽位置を含むように５以上の天候判断ユニット領域を選択すればよい。
【００２８】
天候判断ユニット領域の数の上限は、特に限定されないが、天候判断ユニット領域の数／全ユニット領域の数の値は、０．１以下が好ましい。この場合、全ユニット領域の数に比べて天候判断ユニット領域の数が十分に少ないので天候判断の計算負荷が低減されるからである。また、上記値は、０．０５以下がさらに好ましく、０．０１以下がさらに好ましい。また、別の表現では、天候判断ユニット領域の数は、例えば、５〜１００であり、具体的には例えば、５、１０、１５、２０、２５、３０、３５、４０、４５、５０、６０、７、８０、９０、１００であり、ここで例示した数値の何れか２つの間の範囲内であってもよい。
【００２９】
（方位のズレの補正）
ところで、太陽ユニット領域を選択するに際し、ＣＰＵ５は、計算によって算出した太陽位置を天空画像に重ね合わせる。この際、ＣＰＵ５（太陽位置算出部）が想定している方位と、天空画像の方位が完全に一致していれば、計算によって算出した太陽位置は、天空画像に写っている太陽位置に一致する。しかし、天候判断装置１を設置する際にその方位を厳密に合わせることは容易ではなく、図７（ａ）に示すように、天空画像の方位と、ＣＰＵ５が想定している方位とずれる場合がある。その場合、図７（ｂ）に示すように、計算によって算出した太陽位置ＳＣ１が、天空画像中の太陽位置ＳＣ２とずれる場合がある。そこで、このズレを補正すべく、天空画像の方位を正しい方位に直すために、天空画像を図７（ｂ）の矢印Ｘ方向に天空画像を回転させることを試みた。しかし、このデータ処理を行うには、天空画像内の全ての点（４００万画素のデータであれば４００万個の点）のそれぞれについてデータ処理を行う必要があり、データ処理の負荷が大きい。そこで、本発明者は発想を変えて、ＣＰＵ５が想定している方位を、天空画像の中心Ｃを軸にして図７（ｂ）の矢印Ｙ方向に回転させて天空画像の方位に合わせることにした。矢印Ｙ方向への回転角度αは、計算によって算出した太陽位置ＳＣ１が、天空画像中の太陽位置ＳＣ２に一致するように設定される。この方法によれば、計算によって算出した太陽位置についてのみデータ処理を行えばいいので、データ処理の負荷が軽減される。また、このような方法は、計算によって算出した太陽の軌跡を、天空画像に重ね合わせる際にも利用することができる。この場合、太陽の軌跡を構成する曲線又は多数の点を回転角度αで図７（ｂ）の矢印Ｙ方向に回転させればよい。
【００３０】
さらに、この方法は、本発明に限らず、太陽位置算出部が算出した太陽位置を天空画像に重ね合わせる処理が必要な種々の用途に適用可能である。天空画像の方位と、太陽位置算出部が想定している方位との間のズレによって生じる問題を、少ないデータ処理で解決できるという同様の効果が得られるからである。
【００３１】
（太陽位置算出頻度低減によるＣＰＵ負荷の低減）
ところで、特許文献１では太陽位置を中心とする領域の平均輝度値を算出するために、太陽位置を正確に算出することが必須である。このため、全ての撮像時刻に対応した太陽位置の算出が必須であるので、ＣＰＵ５の負荷が大きい。一方、本発明では、太陽位置は、太陽ユニット領域を適切に選択できる程度に特定すればよく、全ての撮像時刻に対応した太陽位置の算出は必ずしも必要ない。例えば、撮像周期が１分間隔で、太陽が１ユニット領域を移動する時間が約１０分であれば、太陽位置の更新は、数分おき（例えば５分おき）でよい。このように、本発明においては、ユニット領域を用いて天候判断を行うので、太陽位置の計算を適宜間引くことが可能にあり、ＣＰＵ５の負荷を低減することができる。
【００３２】
＜ステップＳ５：各天候判断ユニット領域について領域状態の割り当て＞
次に、ステップＳ５では、ＣＰＵ５は、ステップＳ４で選択した各天候判断ユニット領域について領域状態の割り当てを行う。この領域状態の割り当ては、本実施形態では、各天候判断ユニット領域について平均輝度値を算出し、この平均輝度値が第１閾値以上のものを状態１、第２閾値以上であって第１閾値未満のものを状態２、第２閾値未満のものを状態３としている。平均輝度値の範囲を０〜１とすると、第１及び第２閾値は、例えば、０．９，０．６といった値に設定することができる。第１及び第２閾値は、季節や太陽高度などに応じて適宜変更してもよい。
【００３３】
なお、本実施形態では、輝度の平均値を用いて領域状態の割り当てを行っているが、必ずしも平均値を用いる必要はなく、各天候判断ユニット領域についての輝度の最大値など、別の値を用いて領域状態の割り当てを行ってもよい。また、領域状態の割り当ては、輝度値を用いた方法に限定されず、輝度値、Ｒ値、Ｂ値、Ｇ値の少なくとも１つからなる指標に基づいて行えばよい。領域状態については、本実施形態では、状態１〜３の３種類にしているが、２種類であってもよく、４種類以上であってもよい。
【００３４】
図８に、快晴の日の天空画像を用いて領域状態の割り当てを行った結果の例を示す。図８（ａ）及び（ｂ）は、それぞれ、太陽高度が２０度及び６０度の場合の結果である。太陽高度が２０度の場合は、状態１のユニット領域が２つで、状態３のユニット領域が７つである。一方、太陽高度が６０度の場合は、状態１のユニット領域が４つで、状態３のユニット領域が５つである。どちらも快晴の日の天空画像であるにも関わらず、状態１の数が異なっているのは、等立体角射影方式で撮像された天空画像では、太陽高度が高いほど太陽が占める面積が大きくなるからである。
【００３５】
＜ステップＳ６：領域状態の割り当て結果に基づいて天候判断＞
次に、ステップＳ６では、得られた領域状態の割り当て結果に基づいて天候判断を行う。以下、図９を用いて、領域状態の割り当て結果に基づく天候判断方法について説明する。
【００３６】
ステップＳＡ１では、太陽高度が３５度以上であるかどうかを判断する。この判断は、太陽の実際の高度に基づいて行ってもよく、太陽ユニット領域の高度に基づいて行ってもよい。このような判断を行うのは、上記のように、等立体角射影方式で撮像された天空画像では、太陽高度が高いほど太陽領域の面積が大きくなるので、太陽高度に応じて、天候判断の条件の場合分けを行った方が天候判断の精度が向上するからである。また、太陽高度３５度で区切っている理由は、上記のように、太陽高度３５度の場合に、ユニット領域の面積と、太陽領域の面積がほぼ等しくなるようにユニット領域が設定されているからである。
【００３７】
太陽高度が３５度未満の場合（ステップＳＡ１のＮ）、ステップＳＡ２に移動し、図８（ａ）に示すような領域状態の割り当て結果での状態１のユニット領域数を数える。状態１のユニット領域数が０の場合、天空画像中に明るい部分が存在しておらず、現在の天候が「濃い曇り又は雨」であると判断する。一方、状態１のユニット領域数が５以上の場合、太陽の周辺の大部分の領域が明るくなっていることを意味し、これは、太陽の周辺に薄い雲がかかっていて、その薄い雲が太陽光を反射することによって、明るい状態が実現されていると判断できる。従って、状態１のユニット領域数が５以上の場合は、現在の天候が「薄曇り」であると判断する。状態１のユニット領域数が１〜４の場合、ステップＳＡ３に移動し、状態２のユニット領域が存在しているかどうかを調べる。状態１のユニット領域数が１〜４である場合、「濃い曇り又は雨」でもなく、「薄曇り」でもないことはすでに確定しているので、「濃い雲がある晴れ」と「快晴」のどちらかである。一般に、濃い雲は、太陽光を反射するので、青空よりも明るい。このため、濃い雲があるユニット領域は、状態２になりやすく、青空のユニット領域は、状態３になりやすい。そこで、ステップＳＡ３において、状態２のユニット領域が１つ以上存在する場合（ステップＳＡ３のＹ）は、「濃い雲がある晴れ」があると判断し、状態２のユニット領域が存在しない場合（ステップＳＡ３のＮ）は、「快晴」と判断する。
【００３８】
また、太陽高度が３５度以上の場合（ステップＳＡ１のＹ）、ステップＳＡ４に移動し、図８（ｂ）に示すような領域状態の割り当て結果での状態１のユニット領域数を数える。ステップＳＡ４での判断方法は、ステップＳＡ２での判断方法に類似しているが、太陽高度が３５度以上の場合は、太陽領域が１ユニット領域内に収まらないので、雲一つ無い快晴の場合でもユニット領域４つ程度が状態１になってしまう。このため、ステップＳＡ２と同じ基準で薄曇りの判断を行うと、薄い雲がわずかに存在するが「快晴」と判断すべき天候の場合でも、「薄曇り」と判断されてしまい、都合が悪い。そこで、ステップＳＡ４では、状態１のユニット領域数が７以上の場合に「薄曇り」と判断することによって、このような不都合を解消している。ステップＳＡ５の判断方法は、ステップＳＡ３と同様である。
【００３９】
以上の方法によって、領域状態の割り当て結果に基いて、現在の天候が「濃い曇り又は雨」、「薄曇り」、「濃い雲がある晴れ」、「快晴」の何れであるかについての判断を行うことができる。
【００４０】
天候判断の具体例は、以下の通りである。図８（ａ）の領域状態の割り当て結果の場合、太陽高度が３５度未満であり、状態１のユニット領域数が２であり、状態２のユニット領域数が０なので、「快晴」と判断される。図８（ｂ）の領域状態の割り当て結果の場合、太陽高度が３５度以上であり、状態１のユニット領域数が４であり、状態２のユニット領域数が０なので、「快晴」と判断される。また、図１０〜図１１に、様々な天候の領域状態の割り当て結果を示す。図１０及び図１１は、それぞれ、太陽高度が２０度、６０度の場合の結果を示す。図１０（ａ）及び図１１（ａ）は、太陽とその周辺が厚い雲で覆われていて、空全体が暗くなっている天空画像についての領域状態の割り当て結果である。これらの領域状態の割り当て結果では、状態１のユニット領域数が０であり、「濃い曇り又は雨」と判断される。図１０（ｂ）及び図１１（ｂ）は、太陽とその周辺に薄い雲がかかっていて、空全体が明るくなっている天空画像についての領域状態の割り当て結果である。図１０（ｂ）の領域状態の割り当て結果では、状態１のユニット領域数が６であり、太陽高度が３５未満の場合の基準値である５以上であるので、「薄曇り」と判断される。一方、図１１（ｂ）の領域状態の割り当て結果では、状態１のユニット領域数が７であり、太陽高度が３５以上の場合の基準値である７以上であるので、「薄曇り」と判断される。図１０（ｃ）及び図１１（ｃ）は、太陽ユニット領域のすぐ下に濃い雲が存在しているが、それ以外には雲が存在していない天空画像についての領域状態の割り当て結果である。図１０（ｃ）の領域状態の割り当て結果では、状態１のユニット領域数が２であり、且つ状態２のユニット領域数が２であるので、「濃い雲がある晴れ」と判断される。図１１（ｃ）の領域状態の割り当て結果では、状態１のユニット領域数が２であり、且つ状態２のユニット領域数が２であるので、「濃い雲がある晴れ」と判断される。
【００４１】
なお、ここでは、天候を４種類に分類したが、３種類又は５種類以上に分類してもよい。また、ここで示した天候判断方法は、一例であり、例えば、状態２又は状態３のユニット領域数を最初に数えて場合分けを行う等、別の判断方法を採用することも可能である。また、ここでは、太陽高度が３５度以上かどうかで場合分けを行っているが、場合分けは必ずしも行う必要はなく、別の方法で場合分けを行ってもよい。また、場合分けの閾値となる太陽高度は、別の値であってもよく、３通り以上の場合分けを行ってもよい。
【００４２】
＜ステップＳ７：天候判断結果に基づいてブラインド制御＞
次に、ステップＳ７では、得られた天候判断結果に基づいてブラインド制御を行う。このブラインド制御は、予め設定されたブラインド制御条件に基づいて行われる。ユーザーは、どの天候のときに電動ブラインド１０をどのように制御するのかを予め設定することができる。多くのユーザーは、天候判断結果が「濃い曇り又は雨」の場合にはスラットを水平方向に回動させるか又はスラットを引き上げることによって外光を取り入れ、天候判断結果が「快晴」の場合には直射光を遮る角度にスラットを回動させるが、「薄曇り」及び「濃い雲がある晴れ」の場合に、外光を取り入れたいかどうかはユーザーの好みによって異なる。外光を積極的に活用したいユーザーは、「薄曇り」と「濃い雲がある晴れ」のどちらの場合でも外光を取り入れるように設定し、外光をなるべく遮断したいユーザーは、「薄曇り」と「濃い雲がある晴れ」のどちらの場合でも外光を遮断するように設定し、その中間のユーザーは、「薄曇り」の場合は外光を取り入れ、「濃い雲がある晴れ」の場合は外光を遮断するように設定することができる。このように、本発明によれば、天候が４種類に分類され、各天候に対応させて電動ブラインド１０の制御方法を設定することができるので、ユーザーの好みに合致した電動ブラインド１０の制御が可能になる。
【００４３】
ところで、天候判断結果が頻繁に変化して電動ブラインド１０が頻繁に開閉することはユーザーを不快にさせる場合がある。一方、直射光が室内に入り込む状態になっているにも関わらず、この直射光を遮るように電動ブラインド１０が動作するまでの時間が長いこともユーザーを不快にさせる。そこで、電動ブラインド１０が外光を取り込む状態（「開状態」）のときに、天候が好転した場合は、即座に、外光を遮断する状態（「閉状態」）になるように電動ブラインド１０を制御する。一方、電動ブラインド１０が閉状態のときに、天候が悪化した場合は、その悪化した状態が複数回連続して認識されたときに、開状態になるように電動ブラインド１０を制御する。このように制御することによって、天候が好転した場合には、開状態から閉状態に迅速に切り替えられるのに対し、天候の悪化時には、その状態が継続されることが確認された後に、閉状態から開状態に切り替えられるので、電動ブラインド１０がむやみに開閉されることが抑制される。
【００４４】
（第２実施形態）
本実施形態は、第１実施形態に類似しているが、本実施形態では、図１２に示すように、ステップＳ３の後に、ステップＳ８において、太陽位置が無効ユニット領域にあるかどうかの判断を行う。この判断は、ステップＳ４において太陽ユニット領域を決定した後に、太陽ユニット領域が無効ユニット領域であるかどうかに基づいて行ってもよい。
無効ユニット領域とは、山脈や建築物などの遮蔽物が写っているユニット領域であり、太陽位置が無効ユニット領域にある場合、太陽からの直射光は遮蔽物に遮られるので、電動ブラインド１０は、開状態にすることができる。このため、ステップＳ８において、太陽位置が無効ユニット領域にあると（ステップＳ８のＹ）、ステップＳ６の天候判断が行われずに、現在の天候が「濃い曇り又は雨」と設定され、ステップＳ７に移動して、電動ブラインド１０の制御が行われる。なお、太陽位置が無効ユニット領域にあると判断された後の処理は、現在の天候を「濃い曇り又は雨」と設定する代わりに「薄曇り」などの別の天候を設定して行ってもよく、「無効ユニット領域」という分類を設けて、「無効ユニット領域」である場合の電動ブラインド１０の制御方法をユーザーが設定可能にしてもよい。
【００４５】
無効ユニット領域は、自動設定、手動設定又はその組み合わせによって設定可能である。自動設定では、例えば撮像時刻が異なる複数枚の天空画像を取得し、これらの天空画像中で変化のない部分を無効ユニット領域として設定する。変化のない部分は、山や建築物などの遮蔽物であると考えられるからである。また、別の自動設定の方法としては、天空画像中の物体の色に基づいて行う方法が挙げられる。例えば、あるユニット領域が緑色や茶色であるとすると、このユニット領域は、山肌を写しているものと考えられるので、無効ユニット領域に設定する。また、あるユニット領域が赤色や黄色である場合、このユニット領域は、何らかの人工構造物を写しているものと考えられるので、無効ユニット領域に設定する。
【００４６】
無効ユニット領域の手動設定では、天空画像上にユニット領域を設定したものを画面に表示し、その画面上で無効ユニット領域とすべきユニット領域を選択することによって、無効ユニット領域の設定を行う。
【００４７】
自動設定は、手間がかからず便利であるが、天空画像の内容によっては精度が低い場合がある。そこで、自動設定によって無効ユニット領域を仮設定した後に、手動設定によって高精度な設定を行うことによって、短時間で高精度に無効ユニット領域の設定を行うことができる。
【００４８】
ここで、無効ユニット領域の設定の具体例を図１３（ａ）〜（ｂ）を用いて説明する。図１３（ａ）は、天空画像に４０×４０のユニット領域を設定したものである。図１３（ａ）の天空画像中には多くのビルが写っており、太陽がこのビルの裏側にあるときは直射光が当たる心配がないので、これらのビルが含まれるユニット領域は、無効ユニット領域として設定される。なお、ユニット領域に部分的にビルが写っていて、その残りに天空が写っているユニット領域は、有効ユニット領域とした。無効ユニット領域の設定結果を図１３（ｂ）に示す。図１３（ｂ）を参照すると、図１３（ａ）のビルの形に沿って無効ユニット領域ＩＣが設定されていることが分かる。
【００４９】
（第３実施形態）
第１〜第２実施形態では、建築物の屋上などの高い位置に設置されることが多い天候判断装置１の設置位置を基準にして天候判断を行って、電動ブラインド１０の制御を行っている。しかし、図１４（ａ）に示すように、電動ブラインド１０は、建築物２１の低層階から高層階にまで多数設置され、高層階には直射光が照射される場合でも、低層階は、建築物２３の影になって、直射光が入らない場合があるので、全ての電動ブラインド１０を画一的に制御するのではなく、各電動ブラインド１０の設置位置に基づいて電動ブラインド１０の制御を個別に行うことが好ましい。
【００５０】
建築物２３によって影になる領域Ｒは、図１４（ａ）において、太陽Ｓと建築物２３とを結ぶ直線Ｄよりも下の領域である。太陽Ｓの位置（高度及び方位）は、撮像日時から算出することができるので、建築物２１から建築物２３までの距離Ｌと建築物２３の立体形状が分かれば、領域Ｒを求めることができる。しかし、建築物２１の周辺に、次々とビルが建設されるような状況においては、ビルが建設される度にそのビルの立体形状を取得し、天候判断装置１のデータベースに登録するには多大な手間がかかる。
【００５１】
この手間をできる限り省くために、本実施形態では、図１５に示すように、建築物２３が写った天空画像を取得し、この天空画像から建築物２３の仰角βと方位角θと取得し、これらの角度と、別途入力した距離Ｌとを用いて、領域Ｒを求めることを可能にしている。
【００５２】
図１５の円Ｐ、Ｑは、それぞれ、図１４（ａ）の直線Ｐ、Ｑに対応し、図１５の直線Ｔ，Ｕは、それぞれ、図１４（ｂ）の直線Ｔ，Ｕに対応する。図１５において、仰角βは、円Ｐと円Ｑの間の間隔に相当する角度であり、図１４（ａ）の直線Ｐと直線Ｑの間の角度に相当する。また、図１５での建築物２３の方位角θは、直線Ｔと直線Ｕの間の角度であり、図１４（ｂ）の直線Ｔと直線Ｕの間の角度に相当する。
【００５３】
距離Ｌと仰角βと方位角θが分かると、図１４（ａ）に示す建築物２３の高さＨは、天候判断装置１の設置位置の高さ＋Ｌ×ｔａｎβによって算出可能であり、図１４（ｂ）に示す建築物２３の奥行きＷは、２Ｌ×ｔａｎ（θ／２）によって算出可能である。そして、建築物２３の高さＨと奥行きＷが求まれば、領域Ｒの二次元形状が求められ、建築物２１のどの位置に影が形成されるのかの判断が可能になる。
【００５４】
なお、距離Ｌは、天空画像からは求めることができないので、別の方法で取得又は測定して入力する必要がある。距離Ｌを取得又は測定する方法としては、別途準備した地図上で距離を測定する方法や、三角測量などの測距技術によって測定する方法が挙げられる。
【００５５】
本実施形態においては、ステップＳ７のブラインド制御を実行する際には、全ての電動ブラインド１０について同じ制御を行うのではなく、上述した方法によって各電動ブラインド１０が遮蔽物の影になるかどうかの判断を行い、遮蔽物の影になる電動ブラインド１０については、天候判断の結果が電動ブラインド１０を閉状態にすべきものであったとしても、電動ブラインド１０を開状態にするように制御することができる。このような制御を行うことによって実際は影になっているにも関わらず、電動ブラインド１０が閉状態になることを防ぐことができる。なお、遮蔽物の影にならない電動ブラインド１０については、天候判断の結果が電動ブラインド１０を閉状態にすべきものであれば、その判断に従って、電動ブラインド１０を閉状態にする。
【００５６】
（第４実施形態）
これまでの実施形態では、天空に存在する雲量を考慮することなく、所定時間毎に天空画像を撮像していたが、天空に雲がほとんど存在していない快晴の場合には、短時間で天候が大きく変化するとは考えにくいので、撮像周期を長くしても問題ない。そこで、本実施形態では、天空画像から雲量を算出し、算出した雲量に応じて天空画像の撮像周期を変化させる。これによって、撮像回数を減らしてシャッターユニット３の負荷を低減することができる。
【００５７】
天空画像中の雲量算出方法は、特に限定されないが、本実施形態では、図１６に示すように、太陽ユニット領域を中心とする９×９のユニット領域について、第１実施形態のステップＳ５と同様の方法によって、各ユニット領域について領域状態の割り当てを行い、その結果に基づいて雲量を推測する。領域状態の割り当てでは、各ユニット領域について状態１〜３の何れかを割り当てるが、状態２のユニット領域は、曇が存在している可能性が高いので、状態２のユニット領域の割合に基づいて雲量を算出することにしている。なお、雲が存在しているユニット領域であっても状態１又は状態３になる場合があるが、雲がかかっていない太陽ユニット領域は必ず状態１になるので、状態１を雲量算出に用いることは好ましくなく、雲が全くない青空のユニット領域は、通常、状態３になるので、状態３を雲量算出に用いることも好ましくない。そこで、状態２の割合に基づいて雲量算出を近似的に行うことにしている。なお、状態２の割合と、実際の雲量とは必ずしも一致する必要はなく、撮像周期を決定するのに十分な程度に相関していればよい。また、別の方法として、状態２又は状態３であり且つ白色であるユニット領域を雲が存在しているユニット領域であると判断して、雲量を算出してもよい。
【００５８】
雲量に基づいて撮像周期を変化させる方法の一例としては、雲量が４０％未満である場合には撮像周期を５分毎とし、雲量が４０％以上の場合には撮像周期を１分毎にするものである。雲量の閾値は、４０％にする必要はなく、設置現場の状況に合わせて適宜決定できる。また、撮像周期も適宜決定可能である。
【００５９】
図１６に９×９のユニット領域について領域状態の割り当てを行った結果を示す。これは、太陽の周りに雲がまばらに存在している天空画像についての領域状態の割り当て結果である。この領域状態の割り当て結果では、８１ユニット領域中３３ユニット領域が状態２であるので、雲量は３３／８１＝４１％であると算出され、雲量が４０％以上であるので、撮像周期は１分毎となる。
【００６０】
なお、天空に雲が非常に多く存在している場合にも、短時間で天候が大きく変化する可能性が低いので、雲量が閾値以上の場合に、撮像周期を長くしてもよい。
【００６１】
（第５実施形態）
これまでの実施形態では、ステップＳ６において、１枚の天空画像に基づいて天候判断を行い、その天候判断の結果に基づいて電動ブラインド１０の制御を行っていたが、この方法による制御では、「濃い曇り又は雨」の状態から急に「快晴」に変わった場合には、電動ブラインド１０が閉状態になるまでには若干のタイムラグがあるので、その間は、室内に強い太陽光が差し込んでしまうという問題があり得る。そこで、本実施形態では、このような問題を解消するために、複数枚の天空画像を用いて天候の変化を予測することによって、例えば、現時点の天候が電動ブラインド１０を開状態にすべきものであったとしても、近い将来に電動ブラインド１０を閉状態にすべき天候に変化することが予測される場合に、電動ブラインド１０を予め閉状態にすることを可能にする。
【００６２】
本実施形態では、このような予測天候判断は、雲の位置の変化を検出することによって行う。雲は、一定の方向に一定の速度で移動する傾向があるため、異なる時刻に撮影された複数枚の天空画像中での雲の位置を比較することによって、雲が将来、どちらの方向にどのような速度で移動するのを予測することができ、従って、特定時刻での雲の位置を予測することができるからである。また、特定時刻での太陽位置は計算によって求めることができるので、特定時刻での太陽位置と雲の位置とに基づいて特定時刻での天候の予測可能である。
【００６３】
以下、図４のフローチャートを用いて、具体的な判断方法について説明する。
ステップＳ１〜Ｓ３は、第１実施形態と同様である。
【００６４】
ステップＳ４では、第１実施形態では、太陽ユニット領域と、この太陽ユニット領域を取り囲む８つの周縁ユニット領域を天候判断ユニット領域として選択したが、本実施形態では、雲の位置の変化を検出するために、天候判断ユニット領域としてより多くの領域を選択することが好ましく、例えば、図１７（ｂ）に示すように、太線で囲った太陽ユニット領域と、この太陽ユニット領域を取り囲む８０個の周縁ユニット領域を選択することができる。天候判断ユニット領域の数は、これよりも少なくても多くてもよく、また、全ユニット領域と天候判断ユニット領域として選択してもよい。
【００６５】
次に、ステップＳ５では、第１実施形態と同様に各天候判断ユニット領域に領域状態の割り当てを行う。図１７（ａ）は、前回の撮像時刻（例えば５分前）Ｔ１に撮像された天空画像についての領域状態であり、図１７（ｂ）は、現在時刻Ｔ２の天空画像についての領域状態である。ここでは、ほぼ全天が濃い雲で覆われていて状態２となっているが、薄い雲がところどころに存在していて状態１になっているような天候を想定している。図１７（ａ）では、８１個の天候判断ユニット領域のうち、右上の１２個と、左下の６個の天候判断ユニット領域がそれぞれ状態１になっていて、残りの天候判断ユニット領域が状態２になっている。一方、図１７（ｂ）では、右上の６個の天候判断ユニットと左下の１２個の天候判断ユニット領域が状態１になっていて、残りの天候判断ユニット領域が状態２になっている。図１７（ａ）と図１７（ｂ）を比較すると、図１７（ａ）において右上と左下にそれぞれ存在していた薄い雲がどちらも右上に向かって移動していることが分かる。
【００６６】
次に、ステップＳ６では、第１実施形態と同様の方法で現在時刻Ｔ２の領域状態に基づく天候判断を行い、さらに、以下に示す方法で、将来時刻Ｔ３の予測天候判断を行う。
まず、図１７（ａ）と図１７（ｂ）との比較から雲の移動方向と速度を算出する。次に、この移動方向と速度が継続すると仮定して、将来の任意の時刻での雲の位置を予測する。図１７（ｃ）は、将来時刻Ｔ３が、現在時刻Ｔ２から、（時刻Ｔ２−時刻Ｔ１）だけ経過した後の時刻であるときの、将来時刻Ｔ３の領域状態予測である。図１７（ａ）で左下にあった薄い雲が右上に向かって移動した結果、図１７（ｃ）では、太陽ユニット領域のすぐ下に薄い雲がかかっていることが分かる。将来時刻Ｔ３の予測天候判断は、図１７（ｃ）のような将来時刻Ｔ３の領域状態予測に基づいて行う。なお、図１７（ａ）〜（ｃ）は、説明の便宜上、太陽ユニット領域の位置を移動させていないが、実際は、各時刻での太陽位置に基づいて太陽ユニット領域の位置が決定される。
【００６７】
現在時刻Ｔ２と将来時刻Ｔ３での天候判断は、第１実施形態と同様に、図９の天候判断フローに基づいて行うことができる。太陽高度が３５度未満であると過程すると、現在時刻Ｔ２の天候は、「濃い曇り又は雨」であると判断され、将来時刻Ｔ３での天候は、「濃い雲がある晴れ」であると判断される。
【００６８】
ステップＳ７では、現在時刻Ｔ２の天候と将来時刻Ｔ３の天候に基づいて電動ブラインド１０の制御が行われる。一例では、現在時刻Ｔ２の天候と将来時刻Ｔ３の天候の少なくとも一方において、電動ブラインド１０を閉状態にするように設定されている場合に、電動ブラインド１０が閉状態にされる。
【００６９】
ここは、電動ブラインド１０は、「濃い曇り又は雨」のときに開状態とされ、「濃い雲がある晴れ」のときに閉状態とされるように設定されていると過程する。第１実施形態のように、現在時刻Ｔ２の天候のみに基づいて電動ブラインド１０を制御する場合、現在時刻Ｔ２の天候が「濃い曇り又は雨」であるので、電動ブラインド１０は開状態にされる。しかし、本実施形態では、将来時刻Ｔ３の天候が「濃い雲がある晴れ」であることが考慮されて、現在の天候が「濃い曇り又は雨」であるにも関わらず、電動ブラインド１０が閉状態にされる。このような制御を行うことによって天候が急に変化する場合でも室内に強い太陽光が差し込んでしまうことを防ぐことができる。
【００７０】
ここで、比較のために、前回撮像時刻Ｔ１の領域状態が異なる例を図１８に示す。図１８（ｂ）に示す現在時刻Ｔ２の領域状態は、図１７（ｂ）と同一であるが、図１８（ａ）に示す前回撮像時刻Ｔ１の領域状態が図１７（ａ）と異なっている。そして、図１８（ａ）と図１８（ｂ）を比較すると、図１８（ａ）の左下と右上に存在する状態１の薄い雲は、左方向に移動していることが分かる。このため、将来時刻Ｔ３の領域状態予測は、図１８（ｃ）に示すように、図１７（ｃ）とは異なるものになる。図１８（ｂ）及び（ｃ）の領域状態に基づいて天候判断を行うと、現在時刻Ｔ２の天候と将来時刻Ｔ３での天候は、どちらも「濃い曇り又は雨」であると判断される。この場合、天候が急に変化して室内に強い太陽光が差し込む恐れが低いので、電動ブラインド１０は開状態にされる。
【００７１】
このように、本実施形態によれば、現在時刻Ｔ２の天候と将来時刻Ｔ３の天候を考慮することによって、電動ブラインド１０の制御をより適切に行うことができる。
【００７２】
なお、本実施形態では、第１実施形態と同様に、太陽ユニット領域を中心とする９つの天候判断ユニット領域を用いて天候判断を行ったが、天候判断は、８１個全ての天候判断ユニット領域を用いて行ってもよい。また、本実施形態では、前回の撮像時刻Ｔ１の天空画像と現在時刻Ｔ２の天空画像を用いたが、これに限定されず、例えば撮像周期が１分のときに、１０分前の天空画像と、５分前の天空画像を用いて現在時刻と将来時刻（例：３分後）の領域状態を予測してもよい。また、例えば、１０分前の天空画像と、５分前の天空画像と、現在の天空画像のように、３枚以上の天空画像を用いて雲の移動方向と速度を算出することによって、その精度を向上させることができる。
【００７３】
本実施形態の方法は、第４実施形態の方法と組み合わせることができ、現在時刻Ｔ２の領域状態に基づいて雲量を算出し、その結果に基づいて撮像周期を変化させることができる。
【００７４】
（第６実施形態）
本実施形態では、ステップＳ２の天空画像の撮像は、絞りを固定にしてシャッタースピードをオートにして行う。このようにして撮像を行うと、イメージセンサー４に取り込まれる光量が少ないほどシャッタースピードが遅くなる。従って、シャッタースピードが非常に遅いということは、天空全体が厚い雲で覆われていてイメージセンサー４に入射する光量が非常に少ないということを意味している。このような天候の場合には、ステップＳ３〜ステップＳ６での天候判断を行うことなく、天候は、「濃い曇り又は雨」であると判断することができる。
そこで、本実施形態では、図１９に示すように、ステップＳ２の後に、シャッタースピードが基準値（例：１／５０秒）以上であるかどうかを判断するステップＳ９を実行し、シャッタースピードが基準値以上である場合（ステップＳ９のＹ）にはステップＳ３以降の処理を実行し、シャッタースピードが基準値未満の場合（ステップＳ９のＮ）は、ステップＳ６の天候判断が行われずに、現在の天候が「濃い曇り又は雨」と設定され、ステップＳ７に移動して、電動ブラインド１０の制御が行われる。
【００７５】
（第７実施形態）
これまでの実施形態では、ステップＳ１においては、現在時刻が日没後で日の出前であるかどうかが判断され、日没後についてはステップＳ２の天空画像の撮像は行われなかった。従来の電動ブラインド１０では、日没後は、空の明るさに基づく制御は行われておらず、単純に、開状態又は閉状態にされていた。しかし、日没後の所定時間（例えば１時間）は、外が明るい場合があり、この場合は、電動ブラインド１０を閉めてしまうのはもったいない。
【００７６】
そこで、本実施形態では、図２０に示すように、ステップＳ１で現在時刻が日没後で日の出前であると判断された場合（ステップＳ１のＹ）は、ステップＳ１０で現在時刻が日没後から所定時間内であるかどうかを判断する。日没後から所定時間経過後（ステップＳ１０のＮ）は、以降の処理を行わない。日没後から所定時間内であれば（ステップＳ１０のＹ）、ステップＳ１１において、ステップＳ２と同様に天空画像の撮像を行い、ステップＳ１２において、得られた天空画像から空の明るさを算出する。「空の明るさ」としては、第６実施形態と同様に、絞りを固定にしてシャッタースピードをオートにしたときのシャッタースピードを指標として用いることができる。また、「空の明るさ」としては、撮影した天空画像から全天の平均輝度値又は最高輝度値を得て、この値を指標として用いてもよい。次に、ステップＳ１３では、空の明るさに基づいて電動ブラインド１０の制御が行われる。
【００７７】
電動ブラインド１０は、例えば、空の明るさが基準値を超える場合には、外光を取り入れるために開状態になるように制御され、空の明るさが基準値を下回る場合には、室内光を電動ブラインド１０で反射させるために閉状態になるように制御される。
【００７８】
（第８実施形態）
これまでの実施形態では、ステップＳ５において、各天候判断ユニット領域の平均輝度値に基づいて領域状態の割り当てを行い、各天候判断ユニット領域の色成分については、考慮していなかった。しかし、薄曇りの日の夕方には、太陽光がまぶしく感じられるにも関わらず、平均輝度値は低い場合があり、平均輝度値に基づく領域状態の割り当てでは、天候判断結果が人間の感覚からずれる場合がある。
【００７９】
そこで、本実施形態では、各天候判断ユニット領域について、輝度値に加えて、Ｒ値、Ｂ値、及びＧ値の少なくとも１つに基づいて各天候判断ユニット領域について領域状態の割り当てを行う。
【００８０】
本実施形態の領域状態の割り当ては、一例では、以下のように行う。まず、平均Ｒ／Ｂ値、平均Ｒ値、平均Ｂ値、平均輝度値のそれぞれの指標について個別に第１及び第２閾値を設定し、各指標について第１閾値以上のものに２点、第２閾値以上であって第１閾値未満のものに１点、第２閾値未満のものに０点のスコアを割り当てる。次に、これら４つの指標についてのスコアを合計し、合計スコアが６点以上の天候判断ユニット領域を状態１、３〜５点の天候判断ユニット領域を状態２、２点以下の天候判断ユニット領域を状態３とする。
【００８１】
本実施形態による領域状態の割り当ての具体例を図２１に示す。図２１は、太陽高度が２０度であり、天候判断ユニット領域の左上に薄い雲がかかっている天空画像についての結果を示す。図２１（ａ）は、各天候判断ユニット領域に対して平均Ｒ／Ｂ値、平均Ｒ値、平均Ｂ値、平均輝度値のそれぞれについて０〜２点のスコアを割り当てた状態を示す。そして、図２１（ｂ）は、このスコアの合計値に基づいて、各天候判断ユニット領域に対して状態１〜３を割り当てた状態を示す。
【００８２】
以上の方法で、各天候判断ユニット領域について領域状態の割り当てを行った後は、これまでの実施形態と同様にステップＳ６以降を実施することができる。
【符号の説明】
【００８３】
１：天候判断装置
２：魚眼レンズ
３：シャッターユニット
４：イメージセンサー
７：電動ブラインドシステム
８：メインコントローラー
９：通信線
１０：電動ブラインド
１１：ブラインドコントローラー
【図１】
2019032347.tif 000003
【図２】
2019032347.tif 000004
【図３】
2019032347.tif 000005
【図４】
2019032347.tif 000006
【図５】
2019032347.tif 000007
【図６】
2019032347.tif 000008
【図７】
2019032347.tif 000009
【図８】
2019032347.tif 000010
【図９】
2019032347.tif 000011
【図１０】
2019032347.tif 000012
【図１１】
2019032347.tif 000013
【図１２】
2019032347.tif 000014
【図１３】
2019032347.tif 000015
【図１４】
2019032347.tif 000016
【図１５】
2019032347.tif 000017
【図１６】
2019032347.tif 000018
【図１７】
2019032347.tif 000019
【図１８】
2019032347.tif 000020
【図１９】
2019032347.tif 000021
【図２０】
2019032347.tif 000022
【図２１】
2019032347.tif 000023
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
全天の天空画像を撮像する撮像部と、
太陽位置を算出する太陽位置算出部を備え、
前記太陽位置算出部は、前記太陽位置算出部が想定している方位と、前記天空画像の方位を一致させるように、前記天空画像の中心を軸にして前記太陽位置を回動させる、天候判断装置。
【請求項２】
全天の天空画像を撮像する撮像部と、
前記天空画像から雲量を算出する雲量算出部を備え、
前記撮像部は、前記雲量に応じて、異なる頻度で前記天空画像の撮像を行う、天候判断装置。
【請求項３】
全天の天空画像を撮像する撮像部と、
太陽位置を算出する太陽位置算出部と、
天候判断を行う天候判断部を備え、
前記天候判断部は、太陽の高度に応じて、異なる基準で前記天候判断を行う、天候判断装置。
【請求項４】
全天の天空画像を撮像する撮像部と、
天候判断を行う天候判断部と、
前記天候判断の結果に基づいて電動ブラインドの制御を行う電動ブラインド制御部を備え、
前記撮像部は、前記撮像部に入射する光量に応じてシャッタースピードが変化するモードで前記天空画像の撮像を行い、
前記電動ブラインド制御部は、前記シャッタースピードが基準値未満の場合には前記天候判断を行わずに前記電動ブラインドの制御を行う、電動ブラインド制御装置。
【請求項５】
全天の天空画像を撮像する撮像部と、
太陽位置を算出する太陽位置算出部と、
前記天空画像上に１００以上のユニット領域を設定するユニット領域設定部と、
天候判断を行う天候判断部と、
前記天候判断の結果に基づいて電動ブラインドの制御を行う電動ブラインド制御部と、
前記ユニット領域の一部を無効ユニット領域に設定する無効ユニット領域設定部を備え、
前記電動ブラインド制御部は、前記太陽位置が前記無効ユニット領域にある場合には前記天候判断を行わずに前記電動ブラインドの制御を行う、電動ブラインド制御装置。
【請求項６】
全天の天空画像を撮像する撮像部と、
太陽位置を算出する太陽位置算出部と、
天候判断を行う天候判断部と、
前記天候判断の結果に基づいて電動ブラインドの制御を行う電動ブラインド制御部を備え、
前記電動ブラインド制御部は、設置位置が異なる複数の電動ブラインドの制御を行い、
前記複数の電動ブラインドのうちの何れが前記撮像部と前記太陽位置の間にある遮蔽物の影になるのかを判断する影判断部を備え、
前記電動ブラインド制御部は、前記影判断部による判断結果に基づいて、前記複数の電動ブラインドの制御を行う、電動ブラインド制御装置。
【請求項７】
天候判断を行う天候判断部と、
前記天候判断の結果に基づいて電動ブラインドの制御を行う電動ブラインド制御部と、
日没後所定時間内の空の明るさを検出する空明るさ検出部を備え、
前記電動ブラインド制御部は、前記空の明るさに基づいて、前記電動ブラインドの制御を行う、電動ブラインド制御装置。